(57)【特許請求の範囲】
【請求項１】
車両用のクッションシートに使用されるサスペンション構造であって、
前記クッションシートの前部部分と後部部分との間に広がるように延在されてなる複数のサスペンションワイヤと、
それぞれ、前記複数のサスペンションワイヤに係合され、前記複数のサスペンションワイヤ間を橋渡しするように配置される複数の直線的な結合バーと、
前記サスペンションワイヤと前記結合バーとを係合させる、前記結合バーとは別体のクリップと、
該クリップによる前記サスペンションワイヤと前記結合バーとの係合個所とは別の個所で、前記複数の結合バー同士を結合する、前記クリップとは別体の複数の直線的なプラスチックリンクと、
を備えていることを特徴とするサスペンション構造。
【請求項２】
サスペンションワイヤは、概略真っ直ぐな金属製ワイヤを方形波形状に折り曲げて形成され、その２本を一対として前記方形波形状が鏡像関係になるように配置し、この複数組がシートの幅方向に配置されることを特徴とする請求項１に記載のサスペンション構造。
【請求項３】
結合バーは、車両の長手方向に対して幅方向に配置されていることを特徴とする請求項１又は２に記載のサスペンション構造。
【請求項４】
結合バーは、車両の長手方向に対して縦方向に配置されていることを特徴とする請求項１又は２に記載のサスペンション構造。
【請求項５】
前記プラスチックリンクに、車両のワイヤハーネス、電気コネクタ、又はセンサのうち、少なくともいずれかが取り付けられることを特徴とする請求項１乃至４のいずれか一項に記載のサスペンション構造。
【発明の詳細な説明】
【技術分野】
【０００１】
本発明は、自動車などの車両の座席の着座部の内部構造であるサスペンション構造、及びその製造方法に関する。
【背景技術】
【０００２】
従来、自動車などの車両の座席の着座部においては、搭乗者の体重を支持すると共に、適度な弾力性を備えて、快適な着座感を与えるために、鋼製ワイヤを一般的に波形の形状に成形して、二次元的な広がりをもたせたものが、前部座席フレームと後部座席フレームとの間において、複数張設されている。
【０００３】
このような鋼製ワイヤは、搭乗者の体重を支持できる剛性と、快適さのための適度な弾力性という相反する性質が求められるため、通常は適当な弾性を有する直径数mm程度のバネ鋼棒材から形成されている。そのようなバネ鋼棒材は、矩形波形状やＳ字形形状の波形形状に屈曲されるが、その後、この被成形形状を安定的に維持するために、内部残留応力を除去すべく、焼鈍処理が施される。
【０００４】
ところが、このような焼鈍処理を施した鋼製ワイヤは、屈曲に伴って発生した内部残留応力の大きさが鋼製ワイヤの各所において異なるために、たとえ鋼製ワイヤ全体の加熱及び冷却が均一に行われたとしても、場所毎に残留応力除去効果に差異が生じることになる。この結果、焼鈍処理後の鋼製ワイヤは、平坦面を構成せず、すなわち、鋼製ワイヤを平坦な地面上に置いたとすれば、鋼製ワイヤは全体として地面に均一に接触せず、地面と接触する部分と地面から浮き上がった部分とが生じることになる。
【０００５】
このように形成された鋼製ワイヤは、一般に、クッションのサスペンション構造を構成すべく、射出成形金型の内部に配置されてプラスチック材料によって射出成形される。射出成形された鋼製ワイヤは、プラスチック樹脂によって互いに一体的に成形されることで、平面状態を回復する。その結果、複数の鋼製ワイヤと、これらを連結するプラスチック樹脂とによって、サスペンション構造が提供される。
【発明の概要】
【発明が解決しようとする課題】
【０００６】
しかしながら、焼鈍処理後の非平面状態である鋼製ワイヤを、射出成形のために、概略平面状に形成された射出成形金型の中に適切に挿入することは、困難な作業であった。例えば、いったん鋼製ワイヤを金型に沿わせるように手で押し付けたとしても、鋼製ワイヤがバネ様の性質を有しているために、手を解放すれば、元の非平面形状に戻ってしまい、金型を閉じることができない。また、金型と共に適当な治具を併用して、鋼製ワイヤを金型に従わせようとしても、鋼製ワイヤが平面から逸脱している量は、個別の鋼製ワイヤの各部毎に相違しており、すべての鋼製ワイヤに適用可能な治具を準備することは不可能である。
【０００７】
このような物品の射出成形は、一般的に、比較的困難な作業であって、工業先進国の熟練工員によれば、何とか短時間に適切に行うことができるけれども、技術的レベルの低い工員の多い新興国での製造は不可能である。
【０００８】
さらに、このような射出成形金型は、複雑な構造を有し、従って、高価である。
【０００９】
また、クッションの弾性特性を、例えば、自動車が使用される地域に適応させるためには、鋼製ワイヤの材質及び／又は線径を調整する必要があるが、この場合、金型における樹脂形成部分の形状を変更しなければならなくなり、そのための、金型修正は困難である。従って、新たな射出成形金型を作らなければならない。
【００１０】
上述した各理由の結果、サスペンション構造は高価になり、もってシート全体のコストを高騰させる。
【００１１】
従って、本発明は、非平面状態である鋼製ワイヤを用いつつ、射出成形の一体的成形によることなく、複数の部品を組み立てることで構成される、実質的に平坦な二次元空間に広がるサスペンション構造とその製造方法を提供することを目的としている。
【課題を解決するための手段】
【００１２】
従って、本発明の１つの実施形態によって提供される、車両用のクッションシートに使用されるサスペンション構造は、クッションシートの前部部分と後部部分との間の二次元空間に広がるように延在されてなる複数のサスペンションワイヤと、複数のサスペンションワイヤに係合される複数の結合バーと、サスペンションワイヤと結合バーとを係合させるクリップと、複数の結合バー同士を結合する複数のプラスチックリンクと、を備えている。
【００１３】
この実施形態によるサスペンション構造においては、結合バーとクリップとによってサスペンションワイヤ同士を結合し、それにより、サスペンション構造を組み立てる。クッションシートの前部部分と後部部分との間の二次元空間に広がるように延在した複数のサスペンションワイヤによって、搭乗者の体重は支持される。複数のサスペンションワイヤは、クリップを介して、複数の結合バーに係合されて、クッション面を構成する。それぞれの結合バーはプラスチックリンクによって結合されることで構造全体が補強される。
【００１４】
この実施形態によれば、射出成形工程を使用することがなく、すなわち、複雑で高価な射出成形金型を必要とせずに製造できるので、サスペンション構造の製造コストを低下させることができる。
【００１５】
本発明の１つの実施形態によるサスペンション構造においては、サスペンションワイヤは、概略真っ直ぐな金属製ワイヤを方形波形状に折り曲げて形成され、その２本を一対として方形波形状が鏡像関係になるように配置し、この複数組がシートの幅方向に配置される。
【００１６】
この実施形態によるサスペンション構造においては、サスペンションワイヤは、方形波状に折り曲げられる。すなわち、サスペンションワイヤは、車両の進行方向に対して、長手方向を向くセクションと、これと直角をなす横方向のセクションとのそれぞれ真っ直ぐなセクションを交互させて構成されることになる。従って、サスペンションワイヤにおけるこれらの真っ直ぐなセクションに沿わせて、結合バーを密着させ、クリップで互いに係止できる。
【００１７】
この結果、サスペンションワイヤの屈曲に伴う望ましくないその変形が効果的に矯正される。そして、このように概略平坦に形成されたサスペンションワイヤの組をシートの幅方向に配置することで、クッション全面にわたるサスペンション構造が得られる。
【００１８】
本発明の１つの実施形態によるサスペンション構造においては、結合バーは、車両の長手方向に対して幅方向に配置されている。
【００１９】
この実施形態によるサスペンション構造においては、幅方向に配置された結合バーは、方形波形状に形成されたサスペンションワイヤにおける車両の進行方向に対して直角をなす横方向のセクションについて、特に良好に非直線的な変形を真っ直ぐに矯正する。
【００２０】
この結果、シートの幅方向の形状を特に平坦化できる。従って、車両が曲線路を走って、搭乗者の体重が車両の幅方向に移動する事例において、シートの快適性を改善することができる。
【００２１】
本発明の１つの実施形態によるサスペンション構造においては結合バーは、車両の長手方向に対して縦方向に配置されている。
【００２２】
この実施形態によるサスペンション構造においては、長手方向に配置された結合バーは、方形波形状に形成されたサスペンションワイヤにおける車両の進行方向に配置された長手方向のセクションについて、特に良好に非直線的な変形を真っ直ぐに矯正する。
【００２３】
この結果、シートの長手方向の形状を特に平坦化できる。従って、車両が走行と停止を繰り返して、搭乗者の体重が車両の前後方向に移動する事例において、シートの快適性を改善することができる。
【００２４】
本発明の１つの実施形態によるサスペンション構造においては、プラスチックリンクに、車両のワイヤハーネス、電気コネクタ、又はセンサのうち、少なくともいずれかが取り付けられる。
【００２５】
この実施形態によるサスペンション構造においては、車両のシート内に通される電気的要素、例えば、ワイヤハーネス、電気コネクタ、又はセンサなどが、結合バー同士の間に延設されたプラスチックリンクに取り付けられるので、これらが、シート内の他の部材、例えば、サスペンションワイヤ又は結合バーと接触して損傷することが防止される。従って、車両の電気系の信頼性を高めることができる。
【発明の効果】
【００２６】
本発明によれば、従来技術によって提供されるサスペンション構造に比べて、安価なサスペンション構造が提供される。すなわち、サスペンション構造を構築するために、従来技術のように焼鈍処理で変形したサスペンションワイヤを射出成形金型中でプラスチック材料と共に一体的に成形する代わりに、本発明の所定の部材を組み立てることで、簡単にサスペンション構造を提供することができる。従って、工賃の安い新興国においてもサスペンション構造を製造することが可能になる。
【図面の簡単な説明】
【００２７】
【図１】本発明の第１の実施形態によるサスペンション構造を示した上部平面図である。
【図２】図１のサスペンション構造を示した立面図である。
【図２Ａ】図１のサスペンション構造を自動車の床面に固定する側板を示した立面図である。
【図３】図１の線３−３に沿った拡大断面図である。
【図４】図１のサスペンション構造を車両の床面に取り付けた状態を示した斜視図である。
【図５】本発明の第２の実施形態によるサスペンション構造を示した上部平面図である。
【発明を実施するための形態】
【実施例１】
【００２８】
車両のクッションシートに対してサスペンション構造を適用する場合を例として、以下に説明する。
図１、図２、及び図４を参照すると、本発明の第１の実施形態によるサスペンション構造１０が示されている。図において、紙面下方は車両の前方、紙面上方は車両の後方である。サスペンションワイヤ１２は、サスペンション構造１０の前部フレーム２０と逆Ｕ字形に形成された後部フレーム２２との間に基線ＢＬ1に沿って横たわるように配置され、その長手方向の略中間部分には、基線ＢＬ1からシートの内方へ向けて方形波形状を形成するように複数の矩形状屈曲部１２ａが設けられている。これにより、シートの長手方向に沿って、矩形状屈曲部１２ａが列設されて、シートの前部フレーム２０と後部フレーム２２との間に搭乗者の体重の支持体の一部分が提供されることになる。
【００２９】
本発明のこの実施形態においては、サスペンション構造１０は、サスペンションワイヤ１４を備え、これは、サスペンションワイヤ１２と実質的に同一になっている。すなわち、サスペンションワイヤ１４は、サスペンション構造１０の前部フレーム２０と後部フレーム２２との間に基線ＢＬ２に沿って横たわるように配置され、その長手方向の略中間部分には、基線ＢＬ2からシートの側方へ向けて方形波形状を形成するように複数の矩形状屈曲部１４ａが設けられている。これにより、シートの長手方向に沿って、矩形状屈曲部１４ａが列設されて、シートの前部フレーム２０と後部フレーム２２との間に搭乗者の体重の支持体の一部分が提供されることになる。
【００３０】
ここで、サスペンションワイヤ１２とサスペンションワイヤ１４とは、対になっており、それらの方形波形状が鏡像関係になるように配置されて第１の組を構成していることに留意されたい。より詳しくは、シートに座った搭乗者の体重の略半分は、彼の左足太股部が、サスペンション構造１０の幅ｗ1の中に納まることで支持される。そして、サスペンションワイヤ１２，１４と同様に構成された、サスペンションワイヤ１６とサスペンションワイヤ１８とが第２の組を構成し、搭乗者の右足太股部を支持し、ここで、第１の組１２，１４と第２の組１６，１８とは、シートの中心線ＣＬの左右に、幅方向に対称的に配置されている。なお、ｗ1は好ましくは１５０〜２００mm、より好ましくは１８０mmであり、ｗ2は好ましくは８０〜１００mm、より好ましくは１００mmである。
【００３１】
ところで、このようにサスペンションワイヤ１２，１４，１６，１８（この段落において、以下、サスペンションワイヤ１２と記す。）を方形波形状に折り曲げると、従来技術による他の形状、例えば、Ｓ字形形状に形成する事例と比較して、矩形状屈曲部１２ａを形成している直線部と角部との間において、内部残留応力に大きな差異が引き起こされる。そこで、このサスペンションワイヤ１２は、前述した矩形状屈曲部１２ａを形成するように折り曲げられた後、所定の温度パターンに従って焼鈍処理に曝される。サスペンションワイヤ１２は、鋼材、例えば、ＳＷＢ又はＳＷＣなどから作られており、焼鈍処理の後には、内部残留応力が実質的に均一化される。しかしながら、このように焼鈍処理されたサスペンションワイヤは、屈曲角部が上下するように変形して、全体として単一平面内に納まらない傾向がある。
【００３２】
図１、図２、及び図４を参照すると、本発明の第１の実施形態によるサスペンション構造１０は、複数の結合バー２４，２６を具備し、これらは、車両の幅方向に延在され、そのうち一方２４は、シートの略前方に、他方２６は、シートの略後方に配置されている。両方の結合バー２４，２６とも、サスペンションワイヤ１２，１４，１６，１８の矩形波形状における、車両のシートに対して横方向を向くように折り曲げられたセクションに沿って、サスペンションワイヤ１２，１４，１６，１８の下方に整列され、詳しくは後述する結合クリップ２８を介して、サスペンションワイヤに結合されている。
【００３３】
次に、図１及び図３を参照して、本発明のこの実施形態における結合クリップ２８について説明する。図３は、図１の線３−３に沿った拡大断面図である。本発明のこの実施形態による結合クリップ２８は、金属材料、例えば、バネ鋼、ステンレス鋼などを、概略Ｈ字形状に成形して構成され、基部２９と、基部２９から延びる４本の脚部３１とを具備しており、４本の脚部３１は、一対ずつ基部２９から反対方向に延びる。たとえば、基部２９をサスペンションワイヤ１２の上部に、サスペンションワイヤ１２に沿って配置して、４本の脚部３１それぞれをサスペンションワイヤ１２およびその下方に位置する対応する結合バー２４をいっしょにかしめるように下方に変形させるようにする。より詳細には、図３に示すように、一対の脚部３１の下端同士を結合バー２４の下部で当たるように、脚部を変形させる。これにより、結合バー２４をサスペンションワイヤ１２の延び方向に整列した状態で、サスペンションワイヤ１２にしっかりと固定することが可能である。
【００３４】
再び、図１、図２、及び図４を参照すると、本発明のこの実施形態によるサスペンション構造１０は、結合バー２４と結合バー２６との間に延在された、ＰＰ又はＰＯＭなどのプラスチック材料から形成された、複数のプラスチックリンク３０を具備し、これは、クッションのマット面（図示せず）との連結部３０ａを備えている。また、プラスチックリンク３０は、ベルト状に形成されており、サスペンションワイヤ１２，１４，１６，１８の直径に比べて大きな幅を有しているので、搭乗者の太股から加わる体重の実質的部分を支持できる。なお、プラスチックリンク３０は、射出成形によって、結合バー２４，２６と一緒に一体的に成形されるか、又は、プラスチックリンク３０に成形された孔に結合バー２４，２６が挿通される。また、車両の幅方向に列設された３本のプラスチックリンク３０のうち、中央のものは、車両の後方へ向けて延長部３２を備えており、その端部には、車両のワイヤハーネス、電気コネクタ、又はセンサのうち少なくとも１つが取り付けられる。従って、これらの要素がシート内の他の部材、例えば、サスペンションワイヤ又は結合バーと接触して損傷することが防止され、もって、車両の電気系の信頼性を高めることができる。
【００３５】
このように構成されたサスペンション構造１０は、フレーム構造３７に取り付けられ、フレーム構造３７は、図示しない既知のスライド機構を介して車両の前後方向にスライド可能とされ、スライド機構は、図示しない既知のブラケットレッグを介して車両の床面ＦＬに取り付けられる。より詳細には、フレーム構造３７は、それぞれ車両の前後方向に延び、互いに車両の幅方向に間隔を隔てた一対の側板３８と、車両前部側で一対の側板３８の内面同士を連結する前フレーム３９ａと、車両後部側で一対の側板３８の内面同士を連結する後フレーム３９ｂとを有し、全体として矩形の枠状に構成され、各々のサスペンションワイヤの、車両後部側の湾曲部を構成する後部フレーム２２および車両前部側の屈曲部を構成する前部フレーム２０をそれぞれ、後フレーム３９ｂおよび前フレーム３９ａに載置することにより、サスペンション構造１０をフレーム構造３７に取り付けている。
【００３６】
本発明の１つの実施形態によって提供される、車両用のクッションシートに使用されるサスペンション構造の製造方法は、搭乗者の体重を実質的に支持すると共に搭乗者に快適さを与える弾力性を有してなる、複数のサスペンションワイヤを準備する段階と、複数のサスペンションワイヤに結合される、複数の結合バーを提供する段階と、サスペンションワイヤと結合バーとを結合するための複数のクリップを提供する段階と、を備え、複数の結合バー同士の間には、プラスチックリンクが延びている。
【００３７】
本発明の１つの実施形態による方法においては、サスペンションワイヤを準備する段階は、金属製ワイヤを方形波形状に折り曲げる段階と、その後、成形された金属製ワイヤを焼鈍する段階とを備えている。
【００３８】
この実施形態による方法においては、金属製ワイヤが方形波形状に折り曲げられるため、他の形状、例えばＳ字形形状に形成する事例と比較して、方形波形状の直線部と角部との間において、内部残留応力に大きな差異が生じる。そこで、焼鈍処理することで、サスペンションワイヤの内部残留応力を均一化して、方形波形状を安定して維持しようとする。
【００３９】
ところが、このように焼鈍処理されたサスペンションワイヤは、屈曲角部が上下するように変形して、全体として単一平面内に納まらない傾向がある。従って、従来技術のパラグラフにおいて説明したように、そのような焼鈍処理されたサスペンションワイヤは、従来の射出成形金型の中に挿入して、一体的なサスペンション構造を製造することはできない。
【００４０】
そこで、他の実施形態による方法においては、焼鈍処理されたサスペンションワイヤは、クリップを介して結合バーと共に組み立てられたとき、全体として平坦平面を構成する。
【００４１】
この実施形態による方法においては、サスペンションワイヤは、方形波状に折り曲げられる。すなわち、サスペンションワイヤは、車両の進行方向に対して、長手方向を向くセクションと、これと直角をなす横方向のセクションとのそれぞれ真っ直ぐな短いセクションを交互させて構成されることになる。従って、サスペンションワイヤにおけるこれらの真っ直ぐなセクションに沿わせて、結合バーを密着させ、クリップで係止できる。
【００４２】
本発明の１つの実施形態による方法においては、サスペンションワイヤの２本を一対として方形波形状が鏡像関係になるように配置し、この複数組をシートの幅方向に配置する段階とを備えている。
【００４３】
この実施形態による方法によれば、方形波形状の鏡像関係の構成のために、サスペンションワイヤの変形が対称的に配置され、結合バーによって、サスペンションワイヤの望ましくない変形が効果的に矯正される。そして、そのような対の複数組をシートの幅方向に配置することで、クッションの全面にわたるサスペンション構造が得られる。
【００４４】
本発明の１つの実施形態による方法においては、結合バーを提供する段階は、車両の長手方向に対して幅方向に結合バーを提供する段階を備えている。
【００４５】
この実施形態による方法においては、幅方向に配置された結合バーは、方形波形状に形成されたサスペンションワイヤにおける車両の進行方向に対して直角をなす横方向のセクションについて、特に良好に非直線的な変形を真っ直ぐに矯正する。
【００４６】
この結果、シートの幅方向を特に平坦化できる。従って、車両が曲線路を走って、搭乗者の体重が車両の幅方向に移動する事例において、シートの快適性を改善することができる。
【００４７】
本発明の１つの実施形態による方法においては、結合バーを提供する段階は、車両の長手方向に対して縦方向に結合バーを提供する段階を備えている。
【００４８】
この実施形態による方法においては、長手方向に配置された結合バーは、方形波形状に形成されたサスペンションワイヤにおける車両の進行方向に配置された長手方向のセクションについて、特に良好に非直線的な変形を真っ直ぐに矯正する。
【００４９】
この結果、シートの長手方向を特に平坦化できる。従って、車両が走行と停止を繰り返して、搭乗者の体重が車両の前後方向に移動する事例において、シートの快適性を改善することができる。
【実施例２】
【００５０】
次に、図５を参照して、本発明の第２の実施形態によるサスペンション構造１００を説明する。すべての図面を通して、同一の要素には同一の参照符号を付している。本発明の第２の実施形態が前述した第１の実施形態と相違する主要な点は、第１の実施形態のサスペンション構造１０においては、結合バー２４，２６がシートの横方向に配置されていたのに対し、第２の実施形態のサスペンション構造１００においては、第１の結合バー１２４，１２４と第２の結合バー１２６，１２６とがシートの長手方向に取り付けられていることである。すなわち、第１の結合バー１２４，１２４は、シートの左右において、それぞれ、サスペンションワイヤ１２，１８における、基線ＢＬ1，ＢＬ4からシートの内方へ形成された方形波形状の直線状のセクションに、それぞれ３個の結合クリップ２８を介して結合されている。また、第２の結合バー１２６，１２６は、それぞれ、基線ＢＬ2，ＢＬ3に沿って、サスペンションワイヤ１４，１６の基線ＢＬ2，ＢＬ3と一致する直線状のセクションに、それぞれ２個の結合クリップ２８を介して結合されている。
【００５１】
引き続き図５を参照すると、本発明の第２の実施形態によるサスペンション構造１００は、プラスチックリンク１３０を具備し、これらは、第１の結合バー１２４と第２の結合バー１２６との間に延在し、それらは適切な間隔を隔ててそれぞれの結合バー１２４，１２６に結合されている。これらのプラスチックリンク１３０は、シートの左右に対称的に構成される。また、シートの概略中央部分には、基線ＢＬ2，ＢＬ3に沿って配置された第２の結合バー１２６同士の間に、３つのプラスチックリンク１３４が適当な間隔を隔てて配置されている。シートの最も後方に配置されたプラスチックリンク１３４には、車両の前方へ向けて延長部１３２を備えており、その端部には、車両のワイヤハーネス、電気コネクタ、又はセンサのうち少なくとも１つが取り付けられる。
【産業上の利用可能性】
【００５２】
本発明は、自動車のシートに適用できるほか、列車や飛行機などのシートにも適用できる。また、本発明による構造は、シートの背もたれにも適用できる。
【符号の説明】
【００５３】
１０  サスペンション構造
１００  サスペンション構造
１２  サスペンションワイヤ
１４  サスペンションワイヤ
１６  サスペンションワイヤ
１８  サスペンションワイヤ
２４  結合バー
２６  結合バー
２８  結合クリップ
２９  基部
３０  プラスチックリンク
３１  脚部
３８  側板
３９  前フレーム、後フレーム
１２４  結合バー
１２６  結合バー
【図１】
0005307194.tif 000002
【図２】
0005307194.tif 000003
【図３】
0005307194.tif 000004
【図４】
0005307194.tif 000005
【図５】
0005307194.tif 000006